(57)【要約】【課題】ワカサギなど小魚の極めて弱いアタリを鋭敏に感知できる釣竿穂先部について種々の研究を行なった結果、最適な形状の釣竿穂先部を提供するものである。【解決手段】握持杆部となる電動リ−ル５の先端に取付けられる穂先部であって、バネ性のある金属板２で形成され、この金属板２の上面の長手方向に沿って釣り糸を通すリング状の糸通しガイド３を複数個間隔をおいて取付けた釣竿穂先部１において、前記金属板２の基端側から金属板の長さの０．４〜０．６の位置Ｐから先端側に向かって、金属板２の厚みを基端側の厚みの０．１〜０．５に順次減少させ、且つ金属板２の基端側から先端側に向かって、先端側の幅を基端側の幅の０．４〜０．７に順次減少させ、且つ先端側の幅を２ｍｍ以上に形成し、穂先Ｑと位置Ｐとを結ぶ線と、水平線とのなす角度αが３０〜４５度の範囲に設定したものである。【選択図】  図４
2016146774.tif 000002
【特許請求の範囲】
【請求項１】
握持杆部の先端に取付けられる穂先部であって、バネ性のある金属板で形成され、この金属板の上面の長手方向に沿って釣り糸を通すリング状の糸通しガイドを、複数個間隔をおいて取付けた釣竿穂先部において、前記金属板の基端側から金属板の長さの０．４〜０．６の位置から先端側に向かって、金属板の厚みを基端側の厚みの０．１〜０．５に順次減少させたことを特徴とする釣竿穂先部。
【請求項２】
金属板の基端側から先端側に向かって、先端側の幅を基端側の幅の０．４〜０．７に順次減少させ、且つ先端側の幅を２ｍｍ以上に形成したことを特徴とする請求項１記載の釣竿穂先部。
【請求項３】
金属板の上面に複数個間隔をおいて取付けた糸通しガイドが、基端側から先端側に向かって、隣接する糸通しガイドの間隔を順次狭く形成したことを特徴とする請求項１または２記載の釣竿穂先部。
【発明の詳細な説明】
【技術分野】
【０００１】
本発明は、ワカサギなどの小魚の釣りに使用する釣竿穂先部に関するものである。
【背景技術】
【０００２】
一般にワカサギ釣りに使用される釣竿は、２０〜３０ｃｍ程度の比較的短い釣竿が使用されている。ワカサギは小魚でアタリはかなり小さいものであるため、穂先部はバネ性のある平板状のものが多く使用されている。
【０００３】
従来の釣竿穂先部としては、竹やプラスチック、グラスファイバー、カーボン、など種々の材料が用いられていた。しかしながら、耐水性や耐食性、先端のしなやかさ、復元力などの問題から、本発明者はステンレス、リン青銅などの金属板を用いた釣竿穂先部（特許文献１）を先に開発した。これは金属板の先端方向に向けて徐々に幅細であると共に、部材の表裏両面を徐々に薄厚にし、基部厚みに対して先端厚みを五分の一乃至三十分の一に形成したものである。
【０００４】
しかしながら、ワカサギなどの小さい魚はその大きさや、魚の活性状態、魚のいる水中の深さなどにより、釣果が一定せず、ワカサギの極めて弱いアタリを鋭敏に感知する最適な形状ではなかった。
【先行技術文献】
【特許文献】
【０００５】
【特許文献１】特開平１０−２７６６２６号公報
【発明の概要】
【発明が解決しようとする課題】
【０００６】
本発明者は、ワカサギなど小魚の極めて弱いアタリを鋭敏に感知できる釣竿穂先部について種々の研究を行なった結果、釣竿穂先部の最適な形状を見出したものである。
【課題を解決するための手段】
【０００７】
本発明の請求項１記載の釣竿穂先部は、握持杆部の先端に取付けられる穂先部であって、バネ性のある金属板で形成され、この金属板の上面の長手方向に沿って釣り糸を通すリング状の糸通しガイドを、複数個間隔をおいて取付けた釣竿穂先部において、前記金属板の基端側から金属板の長さの０．４〜０．６の位置から先端側に向かって、金属板の厚みを基端側の厚みの０．１〜０．５に順次減少させたことを特徴とするものである。
【０００８】
本発明の請求項２記載の釣竿穂先部は、請求項１において、金属板の基端側から先端側に向かって、先端側の幅を基端側の幅の０．４〜０．７に順次減少させ、且つ先端側の幅を２ｍｍ以上に形成したことを特徴とするものである。
【０００９】
本発明の請求項３記載の釣竿穂先部は、請求項１または２において、金属板の上面に複数個間隔をおいて取付けた糸通しガイドが、基端側から先端側に向かって、隣接する糸通しガイドの間隔を順次狭く形成したことを特徴とするものである。
【発明の効果】
【００１０】
本発明に係る請求項１記載の釣竿穂先部によれば、金属板の基端側から金属板の長さの０．４〜０．６の位置から先端側に向かって、金属板の厚みを基端側の厚みの０．１〜０．５に順次減少させることにより、しなやかさと強度を兼ね備えた釣竿穂先部を得ることができる。  
【００１１】
また請求項２記載の釣竿穂先部によれば、先端に糸通しガイドを取付けることができると共に、しなやかさと強度を兼ね備えた釣竿穂先部を得ることができる。
【００１２】
また請求項３記載の釣竿穂先部によれば、糸通しガイドを、基端側から先端側に向かって、隣接する糸通しガイドの間隔を順次狭く形成することにより、しなりの大きな先端側の金属板に釣り糸が接触せず、滑らかに繰り出すことができる。
【発明を実施するための最良の形態】
【００１３】
以下本発明の実施の一形態を図１ないし図５を参照して詳細に説明する。図において１は釣竿穂先部を示すもので、釣竿穂先部１はバネ性のあるステンレス鋼またはリン青銅などの金属板２で形成され、図３に示すようにこの金属板２の上面の長手方向に沿って釣り糸を通す下端がＬ形に折曲したリング状の糸通しガイド３が複数個間隔をおいて取付けられ、前記金属板２の基端側から金属板の長さの０．４〜０．６の位置Ｐから先端側に向かって、金属板２の基端側の厚みＴ０の０．１〜０．５に順次減少させ、先端の厚みＴ１にしたものである。この場合、金属板２の厚さＴ０は０．２５〜０．５ｍｍが良い。
【００１４】
また図２に示すように金属板２の基端側から先端側に向かって、先端側の幅Ｗ１を基端側の幅Ｗ０の０．４〜０．７に順次減少させ、且つ先端側の幅Ｗ１を２ｍｍ以上に形成している。更に金属板２の上面に複数個間隔をおいて取付けた糸通しガイド３が、図３に示すように基端側から先端側に向かって、隣接する糸通しガイド３の間隔Ａ１、Ａ２、Ａ３、Ａ４が順次狭く形成されている。この糸通しガイド３は金属板２に載せて、この底部に糸を巻き付けて固定する。
【００１５】
この釣竿穂先部１は図４に示すように握持杆部となる電動リ−ル５の先端のキャップ６に基端側を差し込んで取付ける。この後、電動リ−ル５から釣り糸７を繰り出して糸通しガイド３に通して、先端に釣り針８と重り９を吊り下げて、水中に沈める。重り９の自重により釣り糸７が電動リ−ル５から繰り出されて沈んでいく。
【００１６】
この時の釣竿穂先部１の撓みは基端側から金属板の長さの０．４〜０．６の両面を研磨する位置Ｐから先端側に向かって薄くなる。この状態で釣り糸７の先端に釣り針８と重り９を取付けた時の穂先Ｑと位置Ｐとを結ぶ線と、水平線とのなす角度αが図４に示す３０度から図５に示す４５度の範囲が良い。
【００１７】
このように角度αを３０〜４５度の範囲に規定することにより、ワカサギの極めて弱いアタリを鋭敏に感知する最適な形状であることが分かった。つまり、金属板２の基端側から金属板２の長さの０．４〜０．６の位置Ｐから先端側に向かって、金属板２の厚みを基端側の厚みの０．１〜０．５に順次減少させることにより先端側のしなやかさを保持すると同時に、金属板２を用いているので幅広で横方向の移動がなく、ワカサギを釣り上げる時の強度も兼ね備えている
【００１８】
なおこの場合、Ｐ点の位置を金属板２の基端側から金属板２の長さの０．４〜０．６に規定したのは０．４未満では金属板２の強度が得られず、先端側がたあわみ過ぎるからである。また０．６を超えると強度は高いが、先端側のたわみが唖少なくなるからでる。また金属板２の厚みが基端側の厚みの０．１未満ではたわみ過ぎ、また０．５を超えると金属板２のたわみが少なくなるからである。なお角度αを３０〜４５度の範囲に設定する場合、重り９の重さを金属板２の厚さに合わせて調整する。
【００１９】
なお上記説明では握持杆部として電動リ−ル５を用いた場合について示したが、本発明はこれに限らず手動のリ−ルを用いても良い。
【図面の簡単な説明】
【００２０】
【図１】本発明の実施の一形態による釣竿穂先部の断面図である。
【図２】図１の釣竿穂先部を示す平面図である。
【図３】釣竿穂先部を電動リ−ルに取付けた状態を示す側面図である。
【図４】釣竿穂先部を電動リ−ルに取付け、釣りをしている時の先端のたわみ状態を示す側面図である。
【図５】釣竿穂先部を電動リ−ルに取付け、釣りをしている時の先端のたわみ状態を示す側面図である。
【符号の説明】
【００２１】
１  釣竿穂先部          
２  金属板      
３  糸通しガイド    
５  電動リ−ル      
６  キャップ        
７  釣り糸          
８  釣り針        
９  重り          
【図１】
2016146774.tif 000003
【図２】
2016146774.tif 000004
【図３】
2016146774.tif 000005
【図４】
2016146774.tif 000006
【図５】
2016146774.tif 000007